(57)【特許請求の範囲】
【請求項１】
回路基板と、この回路基板に実装された光源と、前記光源の光を導く導光体と、この導光体で導かれた光で照明される液晶表示素子と、前記導光体と前記液晶表示素子を保持するホルダと、を備えた遠隔操作装置において、前記導光体と前記液晶表示素子との間に、拡散部材と遮光部材とを設け、前記遮光部材の外形を前記拡散部材の外形より大きく形成し、前記遮光部材と前記液晶表示素子を貼り付けるとともに、前記導光体を保持した前記ホルダに前記遮光部材を貼り付けて固定し、
前記導光板部と前記受光板部との接続部分の両端に突出壁を設け、前記突出壁が前記ホルダの前記導光板部と対向する導光板受面の端部に当接する、
ことを特徴とする遠隔操作装置。
【請求項２】
前記光源を収納する収納室を前記ホルダに設けたことを特徴とする請求項１に記載の遠隔操作装置。
【請求項３】
前記導光体に前記液晶表示素子の背面に対向する導光板部と、この導光板部から前記光源側に突出する受光板部とを設けたことを特徴とする請求項１に記載の遠隔操作装置。
【発明の詳細な説明】
【技術分野】
【０００１】
本発明は、液晶表示素子を備えた遠隔操作装置に関する。
【背景技術】
【０００２】
従来の遠隔操作装置は、設定状態などを表示する液晶表示素子と、この液晶表示素子に光源からの光を導く導光体とを備えていた（例えば、特許文献１を参照）。
【先行技術文献】
【特許文献】
【０００３】
【特許文献１】特開２００３−３４３９０３号公報
【発明の概要】
【発明が解決しようとする課題】
【０００４】
従来の遠隔操作装置では、前記液晶表示素子と前記導光体との間に、ゴミなどの異物が侵入する可能性があり、この異物によって前記液晶表示素子の表示品質が低下するという問題が懸念された。
【０００５】
そこで、本発明は、前述の問題点に着目し、液晶表示素子と導光体との間に異物が侵入することを防止し、液晶表示素子の表示品質の低下を抑えた遠隔操作装置を提供することを目的とする。
【課題を解決するための手段】
【０００６】
本発明は、前記課題を解決するために、回路基板と、この回路基板に実装された光源と、前記光源の光を導く導光体と、この導光体で導かれた光で照明される液晶表示素子と、前記導光体と前記液晶表示素子を保持するホルダと、を備えた遠隔操作装置において、前記導光体と前記液晶表示素子との間に、拡散部材と遮光部材とを設け、前記遮光部材の外形を前記拡散部材の外形より大きく形成し、前記遮光部材と前記液晶表示素子を貼り付けるとともに、前記導光体を保持した前記ホルダに前記遮光部材を貼り付けて固定し、前記導光板部と前記受光板部との接続部分の両端に突出壁を設け、前記突出壁が前記ホルダの前記導光板部と対向する導光板受面の端部に当接するものである。
【発明の効果】
【０００７】
以上の構成によって、本発明は、所期の目的を達成することができ、液晶表示素子と導光体との間に異物が侵入することを防止し、液晶表示素子の表示品質の低下を抑えた遠隔操作装置を提供することができる。
【図面の簡単な説明】
【０００８】
【図１】本発明の第１実施形態の遠隔操作装置の正面図。
【図２】同実施形態の図１中ＩＩ−ＩＩ線の断面図。
【図３】同実施形態の図１中ＩＩＩ−ＩＩＩ線の断面図。
【図４】同実施形態の液晶表示素子とホルダの正面図。
【図５】同実施形態の導光体とホルダの正面図。
【図６】同実施形態の導光体とホルダの背面図。
【図７】同実施形態の図４中ＶＩＩ−ＶＩＩ線の分解断面図。
【図８】同実施形態の図４中ＶＩＩＩ−ＶＩＩＩ線の分解断面図。
【発明を実施するための形態】
【０００９】
以下に、本発明の実施形態を添付図面に基づいて説明する。
【００１０】
本発明の遠隔操作装置１は、空気調和機などの機器と赤外線や無線通信などの手段で通信し操作するものである。
【００１１】
遠隔操作装置１は、ケース２と、表示部３と、操作ボタン４とを備えている。
【００１２】
ケース２は、合成樹脂からなり、上下に分割する上ケース２ａと下ケース２ｂとで構成しており、表示部３などを内蔵している。また、上ケース２ａには、表示部３の液晶表示素子５を透過して視認可能な透明な樹脂からなる透過カバー２ｃを備えている。
【００１３】
表示部３は、本実施形態では、液晶表示素子５である。
【００１４】
操作ボタン４は、前記空気調和機の設定などを変更するときに押すなどの操作を行うものである。ケース２内には、前記空気調和機を制御する制御信号を生成する制御回路などが、ケース２内に内蔵されている回路基板６に設けられている。
【００１５】
ケース２内には、液晶表示素子５、回路基板６、この回路基板６に実装された光源７、導光体８、ホルダ９、拡散部材１０および遮光部材１１が、内蔵されている。
【００１６】
液晶表示素子５は、２枚のガラス基板の間に、液晶分子を封入したものであり、印加される電気信号によって、前記液晶分子の配列が変化することで、表示を行うものである。液晶表示素子５は、フレキシブル配線板５ａによって、回路基板６に設けたコネクタ６ａと電気的に接続されている。なお、液晶表示素子５は、偏光板などを備えているが、周知の技術であり、説明は省略する。液晶表示素子５は、光源７の光が、導光体８で導かれ、背後から透過照明される。
【００１７】
回路基板６は、硬質の基板であり、基材として、ガラスエポキシ樹脂などの絶縁材を用いている。そして、この絶縁材の表面に、銅などの導電性金属からなる配線パターンが設けられている。この配線パターンに、光源７や前記制御回路を形成する電子部品などが実装されている。
【００１８】
光源７は、回路基板６に表面実装される発光ダイオードであり、この光源７は、回路基板６の板面に沿って光を出す。
【００１９】
導光体８は、光源７の光を導くものであり、透明な合成樹脂製である。この導光体８は、矩形の平板形状であり、その断面形状が、Ｌの字形状である。Ｌの字の長辺部分にあたる部分が、液晶表示素子５の背面に対向する導光板部８ａであり、Ｌの字の短辺部分にあたる部分が、導光板部８ａから光源７側に突出する受光板部８ｂである。導光板部８ａは、矩形の平板形状であり、導光板部８ａの背面側、すなわち、液晶表示素子５とは反対側の面には、光源７の光を効率良く反射するための加工が施されている。この受光板部８ｂの光源７に対向する受光部８ｃは、光源７からの光を効率良く取り込むために、曲面である。
【００２０】
また、導光体８は、導光板部８ａと受光板部８ｂとの接続部分の両端に突出壁８ｄを備えている。この突出壁８ｄが、後述するホルダ９に当接するものである。また、導光体８の導光板部８ａと受光板部８ｂとの接続部分には、光源７から受光板部８ｂを通った光が、導光板部８ａに反射する反射部８ｅを備えている。
【００２１】
ホルダ９は、液晶表示素子５と導光体８とを保持するものである。ホルダ９は、白色の光を透過しない合成樹脂からなる。ホルダ９は、導光体８の導光板部８ａと対向する導光板受面９ａと、この導光板受面９ａの周囲に設けられ、導光体８の３つの辺を囲む壁部９ｂと、導光体８の受光板部８ｂと光源７を収納する収納室９ｃと、液晶表示素子５の四隅を保持する保持壁９ｄと、導光板受面９ａの背面に設けられ回路基板６と当接する脚部９ｅとを備えている。
【００２２】
導光板受面９ａと壁部９ｂによって、導光体８の導光板部８ａを保持している。
【００２３】
収納室９ｃは、光源７を囲んでおり、導光体８以外から収納室９ｃの外部に光が漏れることを防止している。なお、収納室９ｃには、導光体８の反射部８ｅに対応する反射面９ｆを備えており、導光体８から漏れた光を反射し、再び導光体８に戻すものである。
【００２４】
ホルダ９の導光板受面９ａの端部９ａ１に導光体８の突出壁８ｄが当接することで、導光体８がホルダ９に位置決め保持される。なお、ホルダ９の導光板受面９ａの端部９ａ１とは、導光板受面９ａの収納室９ｃ側である。
【００２５】
保持壁９ｄは、壁部９ｂの周囲に設けられるものである。この保持壁９ｄは、液晶表示素子５の側面に接する突起９ｇを備えており、液晶表示素子５の四隅の側面を保持するものである。
【００２６】
脚部９ｅは、導光板受面９ａの背面に、３個設けられている。なお、脚部９ｅの個数は、任意である。
【００２７】
拡散部材１０と遮光部材１１とは、液晶表示素子５と導光体８との間に設けられている。拡散部材１０が導光体８側で、遮光部材１１が液晶表示素子５側に積層されている。
【００２８】
拡散部材１０は、光が透過可能な乳白色の合成樹脂からなる薄い板状部材である。導光体８からの光を拡散するものである。拡散部材１０は、矩形状であり、拡散部材１０の大きさは、導光体８の導光板部８ａと同等、あるいは若干小さいものであり、ホルダ９の壁部９ｂ内に収納される。
【００２９】
遮光部材１１は、光が不透過の薄い板状部材であり、その中央部が貫通した窓部１１ａを備えた枠状部１１ｂを備えている。遮光部材１１は、２層構造であり、導光体８側が白色の合成樹脂の部材からなり、液晶表示素子５側が黒色の合成樹脂の部材からなる。遮光部材１１は、導光体８側の白色の部材で、光源７の光を反射するとともに、液晶表示素子５側の黒色の部材で、液晶表示素子５の表示領域を区切るものである。
【００３０】
遮光部材１１の外形は、拡散部材１０の外形より大きく形成するとともに、遮光部材１１の窓部１１ａの大きさは、拡散部材１０の外形より小さく形成されている。また、遮光部材１１の外形は、ホルダ９の保持壁９ｄで囲まれた壁部９ｂと同等であり、遮光部材１１の窓部１１ａの大きさは、ホルダ９の保持壁９ｄで囲まれた壁部９ｂより小さいものである。すなわち、遮光部材１１の枠状部１１ｂの幅は、ホルダ９の壁部９ｂの上端部の幅よりも大きく形成されている。
【００３１】
遮光部材１１の枠状部１１ｂの両面に接着剤が設けられており、遮光部材１１の液晶表示素子５側で、液晶表示素子５に貼り付けられるとともに、遮光部材１１の導光体８側で、拡散部材１０の外周端部に貼り付けられ、さらに、ホルダ９の壁部９ｂの上端部に貼り付けられて、ホルダ９に固定されている。また、ホルダ９の壁部９ｂが設けられていない部分（ホルダ９の導光板受面９ａの端部９ａ１側）は、遮光部材１１に貼り付けられた拡散部材１０が液晶表示素子５と接触しており、この部分からの異物の侵入を防止している。
【００３２】
以上のように、回路基板６と、この回路基板６に実装された光源７と、光源７の光を導く導光体８と、この導光体８で導かれた光で照明される液晶表示素子５と、導光体８と液晶表示素子５を保持するホルダ９と、を備えた遠隔操作装置１において、導光体８と液晶表示素子５との間に、拡散部材１０と遮光部材１１とを設け、遮光部材１１の外形を拡散部材１０の外形より大きく形成し、遮光部材１１と液晶表示素子５を貼り付けるとともに、遮光部材１１と導光体８を保持したホルダ９に貼り付けて固定したことによって、液晶表示素子５と導光体８との間に異物が侵入することを防止し、液晶表示素子５の表示品質の低下を抑えた遠隔操作装置１を提供することができる。
【００３３】
また、光源７を収納する収納室９ｃをホルダ９に設けたことによって、光源７の不必要な光漏れを抑え、液晶表示素子５を良好に照明する遠隔操作装置１を提供することができる。
【００３４】
また、導光体８に液晶表示素子５の背面に対向する導光板部８ａと、この導光板部８ａから光源７側に突出する受光板部８ｂとを設けたことによって、表面実装される光源を利用することができ、安価な遠隔操作装置１を提供することができる。
【００３５】
また、導光板部８ａと受光板部８ｂとの接続部分の両端に突出壁８ｄを設け、この突出壁８ｄがホルダ９の導光板部８ａと対向する導光板受面９ａの端部９ａ１に当接することによって、ビスなどの締結具を用いることなく、導光体８をホルダ９に位置決め保持することができる遠隔操作装置１を提供することができる。
【産業上の利用可能性】
【００３６】
本発明は、液晶表示素子と導光体をホルダに保持する遠隔操作装置に利用可能である。
【符号の説明】
【００３７】
１      遠隔操作装置
２      ケース
２ａ    上ケース
２ｂ    下ケース
２ｃ    透過カバー
３      表示部
４      操作ボタン
５      液晶表示素子
５ａ    フレキシブル配線板
６      回路基板
６ａ    コネクタ
７      光源
８      導光体
８ａ    導光板部
８ｂ    受光板部
８ｃ    受光部
８ｄ    突出壁
８ｅ    反射部
９      ホルダ
９ａ    導光板受面
９ａ１  端部
９ｂ    壁部
９ｃ    収納室
９ｄ    保持壁
９ｅ    脚部
９ｆ    反射面
９ｇ    突起
１０      拡散部材
１１      遮光部材
１１ａ    窓部
１１ｂ    枠状部
【図１】
0006375832.tif 000002
【図２】
0006375832.tif 000003
【図３】
0006375832.tif 000004
【図４】
0006375832.tif 000005
【図５】
0006375832.tif 000006
【図６】
0006375832.tif 000007
【図７】
0006375832.tif 000008
【図８】
0006375832.tif 000009